(57)【要約】【課題】旧メディアからどこがどのように更新されているかを一目瞭然に表示可能な更新情報確認表示装置を提供する。【解決手段】入力部１０１を用いて旧メディアのバージョンを入力すると、そのバージョンからの変更点統計、変更点リスト、統計表示地図がそれぞれの指示にしたがって変更点統計格納部１０５、変更点リスト格納部１０６、統計表示地図格納部１０７より読み出され、表示部１０９に表示される。したがって、表示部１０９の表示により購入を目的とする新メディアが、旧メディアよりどこがどのように更新されているかを正確に知ることができる。【選択図】  図１
2004177770.tif 000002
【特許請求の範囲】
【請求項１】
旧メディアを指定する入力手段と、前記旧メディアと前記旧メディアより新しい情報を有する新メディアとの間の記憶された情報の違いを統計として出力する出力手段と、前記出力手段によって出力された統計を表示する表示手段とを備えた更新情報確認表示装置。
【請求項２】
前記入力手段によって前記旧メディアのバージョンを入力することにより、前記旧メディアを指定することを特徴とする請求項１記載の更新情報確認表示装置。
【請求項３】
前記入力手段によって前記旧メディアに記憶された情報を入力することにより、前記旧メディアを指定することを特徴とする請求項１記載の更新情報確認表示装置。
【請求項４】
前記旧メディアと前記新メディアとに記憶された情報が地図情報であって、前記統計がそれぞれ地域別の変更点統計であることを特徴とする請求項１ないし請求項３のいずれかに記載の更新情報確認表示装置。
【請求項５】
地域と表示種別のうち少なくとも一つを指定する第２入力手段を備え、前記第２入力手段によって地域と表示種別のうち少なくとも一つを指定したとき、前記表示手段が指定された地域、表示種別の表示を行うことを特徴とする請求項４記載の更新情報確認表示装置。
【請求項６】
前記表示種別として、変更点リストと前記変更点統計を地図に表示する統計表示地図のうち少なくとも１つで表示される種別を備えたことを特徴とする請求項５記載の更新情報確認表示装置。
【請求項７】
前記表示種別として統計表示地図を指定したとき、前記統計が前記地図上の各地域においてそれぞれ異なる色と模様のうち少なくとも一つで区別して表示される種別を有することを特徴とする請求項６記載の更新情報確認表示装置。
【発明の詳細な説明】
【０００１】
【発明の属する技術分野】
本発明は、電子的に記録された情報を購入するに際し、その情報の更新度合いを確認するための更新情報確認表示装置に関する。
【０００２】
【従来の技術】
従来、ナビゲーション装置に使用する地図情報は、ＣＤ−ＲＯＭ、ＤＶＤ−ＲＯＭなどの記録媒体に電子的に記録されている。したがって、これらの地図情報を購入する場合には、これらの地図情報を記録したＣＤ−ＲＯＭ、ＤＶＤ−ＲＯＭなどの記録媒体を発行年月日やバージョン表示に基づいて購入するようになっている。
【０００３】
一方、通信手段を用いてセンタより指定された地域に関する変更箇所などの地図情報を入手するものも知られている（例えば、特許文献１参照）。
【０００４】
【特許文献１】
特開２００２−４８５７４号公報（第４−７頁、第２−８図）
【０００５】
【発明が解決しようとする課題】
しかしながら、このような従来の更新情報確認表示装置では、地図情報が、道路の新設、改修などで常に改正されており、最新の地図情報は、地図情報が更新される毎に更新された地図情報を記録したＣＤ−ＲＯＭやＤＶＤ−ＲＯＭなどの記録媒体を購入しなければ確認できず、ユーザにとってはコスト的に大きな負担になるものであった。
【０００６】
そして、折角、大きな負担を課して最新のＣＤ−ＲＯＭやＤＶＤ−ＲＯＭなどの記録媒体を購入しても、ユーザが実際に必要とする地域の情報が余り更新されていないことがあり、ユーザにとっては、更に大きな負担になるという問題があった。
【０００７】
一方、通信手段を用いてセンタより地図情報を入手するものでは、ユーザの端末に大容量のメモリを必要とし、地図情報を全部入手するのに相当の時間を要し通信費が大きく嵩むという問題がある。そのため、この種のものでは、地域を指定してその地域の地図情報のみを入手するようにしており、結局、地図情報としては、貼り合わせ的なものとなり、予期せぬ地域の地図情報は、著しく古いものになるという可能性があった。
【０００８】
本発明は、このような従来の問題に鑑みてなされたものであり、ユーザが必要とする情報の更新具合をあらかじめ確認できる更新情報確認表示装置を提供するものである。
【０００９】
【課題を解決するための手段】
本発明の更新情報確認表示装置は、旧メディアを指定する入力手段と、旧メディアと旧メディアより新しい情報を有する新メディアとの間の記憶された情報の違いを統計として出力する出力手段と、この出力手段によって出力された統計を表示する表示手段とを備えた構成を有している。
【００１０】
この構成により、販売を目的とする新メディアが、旧メディアに対しどこがどのように変更、更新されているかを正確に統計として知ることができ、新メディアを購入する際の目安になるという作用を有する。
【００１１】
また、本発明の更新情報確認表示装置は、入力手段によって旧メディアのバージョンを入力することにより、旧メディアを指定する構成を有している。この構成により、旧メディアを有しない場合でも、旧メディアのバージョンを入力して旧メディアを指定することができ、新メディアを購入する必要があるかどうかを容易に判断することができる。
【００１２】
また、本発明の更新情報確認表示装置は、入力手段によって旧メディアに記憶された情報を入力することにより、旧メディアを指定する構成を有している。
【００１３】
この構成により、旧メディアのバージョンなど、旧メディアを指定するものが不明であっても、旧メディアを装置に装着し、旧メディアから旧メディアに記憶された情報を読取り、その情報を、入力手段を用いて入力することにより、旧メディアを容易にかつ正確に指定することができるようになる。
【００１４】
また、本発明の更新情報確認表示装置は、旧メディアと新メディアとに記憶された情報が地図情報であって、統計がそれぞれ地域別の変更点統計である構成を有している。
【００１５】
この構成により、地域別にどの程度変化し更新されているかを正確に把握することが可能となり、ユーザにおいては、必要とする地域の更新度合いをみて購入するかどうかを正確に判断することができるようになる。
【００１６】
また、本発明の更新情報確認表示装置は、地域と表示種別のうち少なくとも一つを指定する第２入力手段を備え、第２入力手段によって地域と表示種別のうち少なくとも一つを指定したとき、表示手段が指定された地域、表示種別の表示を行う構成を有している。この構成により、地域のみならず、表示種別も指定することが可能となり、表示種別によってそれぞれ異なる表示を可能にする。
【００１７】
また、本発明の更新情報確認表示装置は、表示種別として、変更点リストと変更点統計を地図に表示する統計表示地図のうち少なくとも１つで表示される種別を備えた構成を有している。この構成により、変更点リストの表示、統計表示地図の表示を任意に可能にすることができる。
【００１８】
また、本発明の更新情報確認表示装置は、表示種別として統計表示地図を指定したとき、統計が地図上の各地域においてそれぞれ異なる色と模様のうち少なくとも一つで区別して表示される種別を有する構成を有している。この構成により、地図上の異なる色、模様などの区別で統計を一目瞭然と見ることができ、メディアの購入に際し大いに役立つものとなる。
【００１９】
【発明の実施の形態】
以下、本発明の実施の形態について、図面を用いて説明する。
【００２０】
図１は、本発明の一実施の形態における更新情報確認表示装置の概略ブロック図である。図１において、入力部１０１は、複数のキーを有し、旧メディアのバージョンを入力したり、各種情報、指令などを入力したりするためのものである。
【００２１】
新メディア情報格納部１０２は、販売を目的とするＣＤ−ＲＯＭ、ＤＶＤ−ＲＯＭなどの新しいバージョンのメディアに記憶された情報を格納する情報格納部であり、販売を目的とするＣＤ−ＲＯＭ、ＤＶＤ−ＲＯＭなどの新しいバージョンのメディアを着脱自在に装着し、そのメディアから情報を適宜読取ることが可能な情報読取装置であっても良いし、また、これらのメディアより読取った情報を電子的に格納しておき、適宜読み出すことが可能なＲＡＭ、その他の半導体メモリや磁気記録部であっても良い。
【００２２】
旧メディア情報格納部１０３は、新メディアよりバージョンの古い旧メディアに記憶された情報を格納する情報格納部であり、旧メディアを着脱自在に装着し、そのメディアから情報を適宜読取ることが可能な情報読取装置であっても良いし、また、これらのメディアより読取った情報を電子的に格納しておき、適宜読み出すことが可能なＲＡＭ、その他の半導体メモリや磁気記録部であっても良い。
【００２３】
変更内容格納部１０４は、新メディア情報格納部１０２に格納された情報が、旧メディア情報格納部１０３に格納された情報に対し、どの部分でどれだけ変更（更新）されているかを格納する格納部であり、変更点の統計を格納する変更点統計格納部１０５と、変更点のリストを格納する変更点リスト格納部１０６と、変更点の統計を地図として表示するための統計表示地図を格納する統計表示地図格納部１０７とを備えている。
【００２４】
課金処理部１０８は、新メディアを購入する際に課金処理を行うものであり、例えば、表示部１０９に表示された金額の現金を別に設けた現金投入口（図示せず）より投入することにより、投入された現金を確認し、新メディアを商品取出口（図示せず）に送り込むものである。
【００２５】
あるいは新メディアをネットワーク（図示せず）などを介してダウンロードし、ネットワークを介して電子マネーやクレジットカードによって課金処理を行なっても良い。そして、制御部１１０は、これらの各部をそれぞれ適宜制御するものである。
【００２６】
次に、本実施の形態における更新情報確認表示装置について、図２〜図５を用いてその動作を説明する。
【００２７】
図２は、本実施の形態における更新情報確認表示装置の動作を説明するフローチャート、図３は、本発明の一実施の形態における更新情報確認表示装置において、変更点統計格納部に格納された変更点統計の一例を示す図、図４は、本発明の一実施の形態における更新情報確認表示装置において、変更点リスト格納部に格納された変更点リストの一例を示す図、図５は、本発明の一実施の形態における更新情報確認表示装置において、統計表示地図格納部に格納された統計表示地図の一例を示す図である。
【００２８】
本実施の形態において、先ず、新メディア情報格納部１０２、旧メディア情報格納部１０３にそれぞれ新メディア、旧メディアに記憶された情報を格納し、その状態で入力部１０１より所定の指令を入力すると、制御部１１０がこれを検知し、新メディア情報格納部１０２に格納された情報と、旧メディア情報格納部１０３に記憶された情報とを互いに比較し、両者の違い（変更内容）をそれぞれ抽出し、その結果をそれぞれ変更内容格納部１０４に格納する。
【００２９】
変更内容格納部１０４には、先に説明したように、変更点の統計を格納する変更点統計格納部１０５、変更点のリストを格納する変更点リスト格納部１０６、変更点の統計を地図として表示するための統計表示地図を格納する統計表示地図格納部１０７を備えており、これらの各部にそれぞれの情報が格納される。
【００３０】
今、新メディア情報格納部１０２、旧メディア情報格納部１０３に記憶された情報がそれぞれ地図情報であったとすると、変更内容格納部１０４を構成する変更点統計格納部１０５、変更点リスト格納部１０６、統計表示地図格納部１０７に、それぞれ例えば、図３、図４、図５に示すような情報が格納される。
【００３１】
図３は、変更点統計格納部１０５に格納された変更点統計の一部の一例を示している。この例では、変更点の数が地域別、項目別に統計として格納されている。そして、地域については、広域（例えば、北海道、東北、・・・九州といった地方）から狭域（例えば、市区町村）まで階層的に格納され、また、バージョンについては、どのバージョンからの変更かを明確にし、それぞれのバージョンからの変更点統計として格納されている。
【００３２】
図４は、変更点リスト格納部１０６に格納された情報の一部の一例を示している。この例では、地域別に項目、変更点、変更年月日がリストとして格納されている。そして、この場合も、バージョンについては、どのバージョンからの変更かを明確にし、それぞれのバージョンからの変更点リストとして格納されている。
【００３３】
図５は、統計表示地図格納部１０７に格納された統計表示地図の一部の一例を示している。この例では、地域別にその地域を変更点の数に応じて異なる色、模様などで表した統計表示地図として格納している。
【００３４】
図５では、日本全体の地方別統計表示地図を示しているだけであるが、統計表示地図についても、地域については、広域（例えば、北海道、東北、・・・九州といった地方）から狭域（例えば、市区町村）まで階層的に格納され、また、バージョンについても、どのバージョンからの変更かを明確にし、それぞれのバージョンからの変更点統計表示地図として格納されている。
【００３５】
このように、本実施の形態によれば、変更内容格納部１０４を構成する変更点統計格納部１０５、変更点リスト格納部１０６、統計表示地図格納部１０７にそれぞれ地域別、バージョン別の変更点統計、変更点リスト、統計表示地図が格納されており、したがって、入力部１０１を用いて、それぞれ所定の入力を行えば、これらの情報を任意に読み出し、表示部１０９に表示することが可能である。
【００３６】
次に、これらの情報をそれぞれ表示部１０９に表示する動作について説明する。
【００３７】
図２（Ａ）に示すように、入力部１０１を用いて、ユーザが既に保有している旧メディアのバージョンＮを入力すると（ステップ（以下Ｓと記す）２０１）、その情報が制御部１１０で検知され、制御部１１０の制御の基で、変更点統計格納部１０５に格納された旧メディアのバージョンＮからの変更点統計が読み出され（Ｓ２０２）、それが表示部１０９に表示される（Ｓ２０３）。
【００３８】
地域を指定しない場合には、全国を指定したものとして、図３の最も前に示した全国の地方別変更点統計が読み出される。図２（Ｂ）に示すように、入力部１０９を用いて、地域や項目を指定すると（Ｓ２０４）、その指定された地域、項目の情報が制御部１１０で検知され、制御部１１０の制御の基で、その指定された地域、項目の変更点統計が出力され（Ｓ２０５）、表示部１０９に表示される（Ｓ２０６）。
【００３９】
例えば、図３の最も前に示した全国の地方別変更点統計が読み出され、あらかじめ定められた形式で表示されている段階で、「関東」にカーソルを当て、入力部１０１を用いて「関東」を指定すると、関東の県別変更点統計が読み出され、表示される。そして、同じように、入力部１０１を用いて、例えば、「神奈川」、「横浜」と順に指定すれば、それぞれ指定された地域の変更点統計が読み出され表示される。
【００４０】
したがって、ユーザは、これらの変更点統計をみて、新メディアが、自己が保有している旧メディアからどの部分でどの程度変更されているか正確に知ることができ、新メディアの購入に際して大いに役立つ情報を得ることができる。
【００４１】
また、本実施の形態によれば、地域を指定し、その地域の変更点統計を表示している段階で、図２（Ｃ）に示すように、入力部１０１を用いて変更点リストを読み出すべく「変更点リスト」を指定すると（Ｓ２０７のＹ）、それが制御部１１０で検知され、制御部１１０の制御の基で、変更点リスト格納部１０６よりその地域の、図４に示すような変更点リストが読み出され（Ｓ２０８）、表示部１０９に表示される（Ｓ２０９）。
【００４２】
入力部１０１で入力された指定が「変更点リスト」以外であれば、「変更点リスト」の表示動作は終了する（Ｓ２０７のＮ）。したがって、このリストを基に具体的にどこが変更されているか容易に知ることができる。
【００４３】
また、本実施の形態によれば、図２（Ｄ）に示すように、入力部を用いて「地図表示」を指定すれば（Ｓ２１０のＹ）、それが制御部１１０で検知され、制御部１１０の制御の基で、統計表示地図格納部１０７に格納された、図５に示すような、統計表示地図が読み出され（Ｓ２１１）、表示部１０９に表示される（Ｓ２１２）。
【００４４】
そして、この場合、地域を指定すれば、その地域の統計表示地図が読み出され、表示部１０９に表示される。入力部１０１で入力された指定が「地図表示」以外であれば、「地図表示」の動作は終了する（Ｓ２１０のＮ）。
【００４５】
このように、本実施の形態によれば、旧メディアのバージョンを入力することにより、そのバージョンからの変更点の統計、リスト、統計表示地図などをそれぞれ正確に表示することができ、これらの情報を基に新メディアの更新度合いを正確に知ることができるという作用を有する。
【００４６】
なお、本実施の形態では、旧メディアのバージョンを、入力部１０１を用いて直接キー入力するようにしているが、旧メディアを装置に装着し、装着された旧メディアから直接旧メディアのバージョンを読み取り、それを入力するようにしても良い。
【００４７】
また、旧メディアに記憶された情報を制御部において旧メディア情報格納部１０３に格納された情報と比較し、制御部１１０において直接旧メディアのバージョンを検知するようにしても良い。
【００４８】
また、本実施の形態では、変更点統計、変更点リスト、統計表示地図などをそれぞれ予め生成しておき、それらをそれぞれの格納部１０５、１０６、１０７に格納しておくようにしているが、入力部１０１からの指示に従いそれぞれ都度生成するようにしても良い。このようにすれば、それぞれの格納部１０５、１０６、１０７をより少ない容量のもので構成することができるようになる。
【００４９】
また、変更点の内容に応じて、どこの地域を購入すべきかのおすすめ情報を強調して表示するようにしても良い。また、どの地域を購入すると料金はいくらになるかの表示を行うようにしても良い。また、定期的に例えば神奈川県というようにあらかじめ地域を設定して更新された地図を購入する契約をすると割引料金となるようにしても良い。
【００５０】
また、本実施の形態では、スタンドアロンの更新情報確認装置として構成しているが、通信可能なセンタと端末とを備えたシステムとして構成しても良い。
【００５１】
図６は、通信可能なセンタと端末とを備えたシステムとして構成した他の実施の形態の概略ブロック図である。
【００５２】
図６において、端末６００は、入力部６０１、表示部６０２、制御部６０３のほかに、記憶部６０４、通信部６０５を備えており、センタ７００は、新メディア情報格納部７０１、旧メディア情報格納部７０２、変更内容格納部７０３、課金処理部７０４、制御部７０５のほかに、通信部７０６を備えている。
【００５３】
ここで、入力部６０１、表示部６０２、新メディア情報格納部７０１、旧メディア情報格納部７０２、変更内容格納部７０３、課金処理部７０４は、いずれも、図１に示す実施の形態の入力部１０１、表示部１０９、新メディア情報格納部１０２、旧メディア情報格納部１０３、変更内容格納部１０４、課金処理部１０８とそれぞれ同様のものである。
【００５４】
本実施の形態では、端末６００側の入力部６０１を用いて、旧メディアのバージョンを入力したり、地域、項目などを指定したりする。このようにすると、入力された旧メディアのバージョンや、指定された地域、項目などの情報がそれぞれ制御部６０３で検知され、制御部６０３の制御の基で、通信部６０５を介してセンタ７００側に送信される。
【００５５】
センタ７００側の通信部７０６がこれらの情報を受信すると、受信された情報がセンタ７００側の制御部７０５で検知され、制御部７０５の制御の基で、入力された旧メディアのバージョンからの変更点統計、変更点リスト、統計表示地図などがそれぞれ変更内容格納部７０３より読み出され、通信部７０６を介して端末６００側に送信される。端末６００側の通信部６０５がこれを受信すると、制御部６０３の制御の基で、一旦記憶部６０４に記憶され、表示部６０２に表示される。
【００５６】
このように、本実施の形態によれば、センタ７００と端末６００で構成しており、両者が通信可能であるため、例えば、無線電話回線、インターネットなどを介して遠隔的に必要な情報を得ることができる。
【００５７】
【発明の効果】
以上説明したように、本発明によれば、販売を目的とする新メディアが、旧メディアに対して、どこがどのように変更、更新されているかを一目瞭然に正確に統計として知ることができ、新メディアを購入する際の目安になるという効果を有する更新情報確認表示装置を提供することができる。
【図面の簡単な説明】
【図１】本発明の一実施の形態における更新情報確認表示装置の概略ブロック図
【図２】本発明の一実施の形態における更新情報確認表示装置の動作を表すフローチャート
【図３】本発明の一実施の形態における更新情報確認表示装置において、変更点統計格納部に格納された変更点統計の一例を示す図
【図４】本発明の一実施の形態における更新情報確認表示装置において、変更点リスト格納部に格納された変更点リストの一例を示す図
【図５】本発明の一実施の形態における更新情報確認表示装置において、統計表示地図格納部に格納された統計表示地図の一例を示す図
【図６】本発明の他の実施の形態における更新情報確認表示装置の概略ブロック図
【符号の説明】
１０１  入力部
１０２  新メディア情報格納部
１０３  旧メディア情報格納部
１０４  変更内容格納部
１０５  変更点統計格納部
１０６  変更点リスト格納部
１０７  統計表示地図格納部
１０８  課金処理部
１０９  表示部
１１０  制御部
【図１】
2004177770.tif 000003
【図２】
2004177770.tif 000004
【図３】
2004177770.tif 000005
【図４】
2004177770.tif 000006
【図５】
2004177770.tif 000007
【図６】
2004177770.tif 000008